(57)【特許請求の範囲】
【請求項１】
（ａ）農薬活性成分（ただし、ペンタ−４−エニル＝Ｎ−フルフリル−Ｎ−イミダゾール−１−イルカルボニル−ＤＬ−ホモアラニナートを除く。）
（ｂ）見かけ比重が０．０１〜０．１、アマニ油に対する吸油能が１００〜４００ｍｌ／１００ｇであるガラス質気泡体を粉砕して得られた、不規則な形状の細片からなるガラス質粉末
（ｃ）非イオン性界面活性剤または／および陰イオン性界面活性剤、を含むことを特徴とする、
（ｄ）種籾粉衣処理に用いる農薬固形製剤。
【請求項２】
（ａ）農薬活性成分（ただし、ペンタ−４−エニル＝Ｎ−フルフリル−Ｎ−イミダゾール−１−イルカルボニル−ＤＬ−ホモアラニナートを除く。）
（ｂ）見かけ比重が０．０１〜０．１、アマニ油に対する吸油能が１００〜４００ｍｌ／１００ｇであるガラス質気泡体を粉砕して得られた、不規則な形状の細片からなるガラス質粉末
（ｃ）非イオン性界面活性剤または／および陰イオン性界面活性剤
（ｄ）無機質担体または／および有機質担体、を含むことを特徴とする、
（ｅ）種籾粉衣処理に用いる農薬固形製剤。
【請求項３】
ガラス質気泡体がパーライトであることを特徴とする、請求項１または２に記載の農薬固形製剤。
【請求項４】
ガラス質粉末のアマニ油に対する吸油能が２００〜３００ｍｌ／１００ｇであることを特徴とする、請求項１〜３のいずれかに記載の農薬固形製剤。
【請求項５】
非イオン性界面活性剤がポリオキシエチレンソルビタン脂肪酸エステルであることを特徴とする、請求項１〜４のいずれかに記載の農薬固形製剤。
【請求項６】
陰イオン性界面活性剤がアルキルベンゼンスルホン酸塩、アルキル硫酸塩、リグニンスルホン酸塩のうち１種または２種以上であることを特徴とする、請求項１〜５のいずれかに記載の農薬固形製剤。
【請求項７】
非イオン性界面活性剤としてポリオキシエチレンソルビタン脂肪酸エステルと、陰イオン性界面活性剤としてアルキルベンゼンスルホン酸塩、アルキル硫酸塩、リグニンスルホン酸塩から選ばれる１種または２種以上とを組み合わせて使用することを特徴とする、請求項１〜６のいずれかに記載の農薬固形製剤。
【請求項８】
農薬固形製剤が粒度区分０．１〜１７００μｍの範囲に９５％以上含まれることを特徴とする、請求項１〜７のいずれかに記載の農薬固形製剤。
【請求項９】
農薬固形製剤が粒度区分０．１〜４５μｍの範囲に９５％以上含まれる微粉状物であることを特徴とする、請求項１〜７のいずれかに記載の農薬固形製剤。
【請求項１０】
請求項１〜９のいずれかに記載の農薬固形製剤を用いて種籾に粉衣することを特徴とする、種籾の粉衣処理方法。
【発明の詳細な説明】
【技術分野】
【０００１】
本発明は、種籾粉衣に用いる農薬固形製剤に関する。
【背景技術】
【０００２】
本発明と同様な農薬固形製剤に関する技術としては、次のものが知られている。
（１）本発明で用いられている、ガラス質粉末を担体とする農薬固形製剤は、公知である（例えば、特許文献１〜４参照）。
（２）種子消毒剤を粉衣処理する方法も公知である（例えば、特許文献５〜８参照）。
【特許文献１】特許第２９３１８６９号公報
【特許文献２】特開平０９−３０１８０１号公報
【特許文献３】特開２０００−２０４００１号公報
【特許文献４】特開２００３−１４６８０４号公報
【特許文献５】特許第３２２２５３０号公報
【特許文献６】特許第３１０１０６５号公報
【特許文献７】特開平１１−０２８００６号公報
【特許文献８】特開平１１−０４９６１２号公報
【発明の開示】
【発明が解決しようとする課題】
【０００３】
従来の稲種籾への粉衣処理に用いる種子消毒剤は、種籾に付着させるまでに時間がかかり、付着した後の種籾がべとつくなど、必ずしも十分な効果があるとはいえなかった。本発明は、このような問題のない種子粉衣用の農薬固形製剤および粉衣方法を提供するものである。
【課題を解決するための手段】
【０００４】
本発明者らは、上記の課題を解決するために鋭意研究した。その結果、本発明に至った。すなわち、
第１に、（ａ）農薬活性成分（ただし、ペンタ−４−エニル＝Ｎ−フルフリル−Ｎ−イミダゾール−１−イルカルボニル−ＤＬ−ホモアラニナートを除く。）
（ｂ）見かけ比重が０．０１〜０．１、アマニ油に対する吸油能が１００〜４００ｍｌ／１００ｇであるガラス質気泡体を粉砕して得られた、不規則な形状の細片からなるガラス質粉末であるか、さらにこれに無機質担体または／および有機質担体を加えてなる
（ｃ）非イオン性界面活性剤または／および陰イオン性界面活性剤を含むことを特徴とする、
（ｄ）種籾粉衣処理に用いる農薬固形製剤、が上記の目的達成に有効であるとの知見を得た。
【０００５】
第２には、上記の農薬固形製剤において、見かけ比重が０．０１〜０．１、アマニ油に対する吸油能が１００〜４００ｍｌ／１００ｇ、好ましくは２００〜３００ｍｌ／１００ｇであるガラス質気泡体を粉砕して得られた不規則な形状の細片からなるガラス質粉末が種籾への農薬活性成分の付着性改良剤として有効であるとの知見を得た。また、ガラス質気泡体としてパーライトを用いることが好ましいことがわかった。さらに研究の結果、これに無機質担体または／および有機質担体を添加することが好ましく、特に無機質担体を添加することがより好ましいことがわかった。
【０００６】
第３には、上記した農薬固形製剤を用い種籾に粉衣処理する方法が高い種子消毒効果を得るうえで、極めて有効であることがわかった。
【０００７】
（ａ）農薬活性成分
本発明で用いられる農薬活性成分としては、種子消毒剤として用いられるものであれば特に限定されず、その例としては、以下のようなものがあげられる。
【０００８】
種子消毒用殺菌活性成分の例
カスガマイシン、ベノミル、チアベンダゾール、チオファネートメチル、チウラム、プロクロラズ、トリフミゾール、イプコナゾール、塩基性塩化銅、塩基性硫酸銅、水酸化第二銅など。
【０００９】
種子消毒用殺虫活性成分の例
フェニトロチオンなど。
【００１０】
これらの農薬活性成分の製剤中への添加量は、特に限定されるものではないが、一般的には製剤全量の０．１〜９０重量％、好ましくは、１〜８０重量％である。
【００１１】
本発明で使用される上記の種子消毒剤と混用される各種の殺菌剤、殺虫剤も、本発明の目的を達成しうる範囲内であれば併用することができる。そのような例としては、次のものがあげられる。
【００１２】
殺菌剤の例
無機銅、有機銅、ノニルフェノールスルホン酸銅、ＤＢＥＤＣ、テレフタル酸銅、無機硫黄、ジネブ、マンネブ、マンゼブ、アンバム、ポリカーバメイト、有機ニッケル、プロピネブ、ジラム、チアジアジン、キャプタン、スルフェン酸系、ＴＰＮ、フサライド、ＩＢＰ、ＥＤＤＰ、トルクロホスメチル、ピラゾホス、ホセチル、カルベンダゾール、ジエトフェンカルブ、イプロジオン、ビンクロゾリン、プロシミドン、フルオルイミド、オキシカルボキシン、メプロニル、フルトラニル、テクロフタラム、トリクラミド、ペンシクロン、メタラキシル、オキサジキシル、トリアジメホン、ビテルタノール、ミクロブタニル、ヘキサコナゾール、プロピコナゾール、フェナリモル、ピリフェノックス、トリホリン、ブラストサイジンＳ、ポリオキシン、バリダマイシン、ストレプトマイシン、オキシテトラサイクリン、ミルディオマイシン、ＰＣＮＢ、ヒドロキシイソキサゾール、エクロメゾール、クロロネブ、メタスルホカルブ、メチルイソチオシアネート、有機ひ素、硫酸亜鉛、ジチアノン、ベンゾチアゾール、キノキサリン系、ＣＮＡ、ジメチリモール、ジクロメジン、トリアジン、フェリムゾン、フルアジナム、プロベナゾール、イソプロチオラン、トリシクラゾール、ピロキロン、オキソリニック酸、イミノクダジン酢酸塩、アルギン酸、対抗菌、シイタケ菌糸体抽出物、こうじ菌産生物、アグロバクテリウムラジオバクター、イミベンコナゾール、など。
【００１３】
殺虫剤の例
ＣＹＡＰ、ＭＰＰ、ＭＥＰ、ＥＣＰ、ピリミホスメチル、エトリムホス、ダイアジノン、キナルホス、イソキサチオン、ピリダフェンチオン、フロルピリホスメチル、クロルピリホス、ＥＳＰ、バミドチオン、プロフェノホス、マラソン、ＰＡＰ、ジメトエート、ホルモチオン、チオメトン、エチルチオメトン、ホサロン、ＰＭＰ、ＤＭＴＰ、プロチオホス、スルプロホス、ピラクロホス、ＤＤＶＰ、モノクロトホス、ＢＲＰ、ＣＶＭＰ、ジメチルビンホス、ＣＶＰ、プロパホス、アセフェート、イソフェンホス、サリチオン、ＤＥＰ、ＥＰＮ、エチオン、ＮＡＣ、ＭＴＭＣ、ＭＩＰＣ、ＢＰＭＣ、ＰＨＣ、ＭＰＭＣ、ＸＭＣ、エチオフェンカルブ、ベンダイオカルブ、ピリミカーブ、カルボスルファン、ベンフラカルブ、メソミル、チオジカルブ、アラニカルブ、アレスリン、レスメトリン、ペルメトリン、シペルメトリン、シハロトリン、シフルトリン、フェンプロパトリン、トラロメトリン、シクロプロトリン、フェンバレレート、フルシトリネート、フルバリネート、エトフェンプロックス、カルタップ、チオシクラム、ベンスルタップ、ジフルベンズロン、テフルベンズロン、クロルフルアズロン、ブフロフェジン、フェノキシカルブ、除虫菊、デリス、硫酸ニコチン、マシン油、なたね油、ＣＰＣＢＳ、ケルセン、クロルベンジレート、フェニソブロモレート、テトラジホン、ＢＰＰＳ、キノキサリン、アミトラズ、ベンゾメート、フェノチオカルブ、ヘキシチアゾクス、酸化フェンブタスズ、ジエノクロル、フェンピロキシメート、フルアジナム、ピリダベン、クロフェンテジン、ＤＰＣ、ポリナフチン複合体、ミルベメクチン、ＤＣＩＰ、ダゾメット、ベンゾエピン、メタアルデヒド、ＤＣＶ、ＢＴなど。
【００１４】
なお、これらの農薬活性成分名は、「農薬ハンドブック２００１年度版」（社団法人 日本植物防疫協会  平成１３年１１月１日発行）などに記載の一般名である。
【００１５】
（ｂ）ガラス質粉末
本発明で用いられるガラス質粉末は、次のいずれかのものを粉砕して得られたものである。すなわち、
（１）黒曜石、真珠岩、松脂石などの天然ガラス質のものをその軟化温度で焼成して得られる中空膨張体であるパーライト、
（２）シラスなどの火山灰由来の物質に含まれる火山ガラス微粒子を高温で熱処理することによって得られる中空体であるシラスバルーン、
（３）微粉炭燃焼を行う火力発電所やボイラーで発生するフライアッシュから浮遊選鉱または風簸によって得られるフライアッシュバルーンなどのガラス質中空体、
のいずれかであってもよい。
【００１６】
このように粉砕して得られた粉末は、不規則な形状であることが、種籾に均一に付着しべとつきのないものとするために重要である。
【００１７】
また、ガラス質粉末のアマニ油に対する吸油能は、一般的に１０〜５００ｍｌ／１００ｇのものが知られている。このうち、アマニ油への吸油能が１００ｍｌ／１００ｇ未満であると、粉衣処理時に籾がべとつき、４００ｍｌ／１００ｇを超えると農薬固形製剤の種籾への付着が悪くなる。したがって、本発明で用いられるガラス質粉末のアマニ油に対する吸油能は１００〜４００ｍｌ／１００ｇである必要があり、２００〜３００ｍｌ／１００ｇがより好ましい。
【００１８】
また、種籾に均一に付着させるために、見かけ比重は０．０１〜０．１である必要がある。
【００１９】
この中で、パーライトを粉砕したものを用いるのがより好ましい。
【００２０】
（ｃ）非イオン性界面活性剤、陰イオン性界面活性剤
本発明に使用できる非イオン性、陰イオン性界面活性剤としては特定の界面活性剤のみに限定されるものではない。そのような例をあげると、非イオン性界面活性剤の例としては、ポリオキシエチレンアルキルエーテル、ポリオキシアルキレンアルキルエーテル、ポリオキシエチレンアルキルアリールエ−テル、ポリオキシエチレンスチリルフェニルエーテル、ポリオキシエチレンアルキルエステル、ポリオキシエチレンソルビタンアルキレート、ポリオキシエチレンソルビタン脂肪酸エステル、ポリオキシエチレンフェニルエーテルポリマー、ポリオキシエチレンアルキレンアリールフェニルエーテル、ポリオキシアルキレンアリールフェニルエーテル、ポリオキシエチレンアルキレングリコール、ポリオキシエチレンポリオキシプロピレンブロックポリマー、フッ素系界面活性剤（パーフルオロアルキルカルボン酸など）、シリコーン系界面活性剤（ポリオキシアルキレンジメチルポリシロキサンコポリマーなど）、アセチレングリコール系界面活性剤（２，４，７，９，−テトラメチル−デシン−４，７−ジオールなど）などがあるが、これらの例示のみに限定されるものではない。
【００２１】
陰イオン性界面活性剤の例としては、ポリカルボン酸型界面活性剤、リグニンスルホン酸塩、アルキルアリールスルホン酸塩、ジアルキルスルホサクシネート、ポリオキシエチレンアルキルアリールエーテルサルフェート、アルキルナフタレンスルホン酸塩、ポリオキシエチレンスチリルフェニルエーテルサルフェート、ポリオキシエチレンスチレン化フェニルエーテルリン酸塩、アルキルベンゼンスルホン酸塩（ドデシルベンゼンスルホン酸ナトリウムなど）、アルキル硫酸塩（ラウリル硫酸ナトリウム塩など）などがあるが、これらの例示のみに限定されるものではない。
【００２２】
上記のうち、非イオン性界面活性剤としてポリオキシエチレンソルビタン脂肪酸エステル、陰イオン性界面活性剤としてアルキルベンゼンスルホン酸塩、アルキル硫酸塩、リグニンスルホン酸塩から選ばれる１種または２種以上を用いるのが好ましい。
【００２３】
また、非イオン性界面活性剤と陰イオン性界面活性剤の併用のときの配合比率は、特に限定されないが、前者１部に対して後者を０．２〜５部の比率がよい。
【００２４】
（ｄ）担体
本発明で使用される担体としては、以下にあげる無機質担体、有機質担体が用いられる。
【００２５】
本発明に使用される無機質担体の例としては、クレー、タルク、炭酸カルシウム、炭酸ナトリウム、ジークライト、セリサイト、酸性白土、珪石、ケイソウ土、軽石、ゼオライト、バーミキュライト、ホワイトカーボンなどがあり、有機質担体の例としては、鋸屑、藁、パルプ、モミガラ、グルコース、フルクトース、スクロース、マルトース、ラクトース、デンプン、デキストリンなどの単糖類、二糖類、多糖類、などがある。
【００２６】
この中で、無機質担体を用いるのが好ましく、無機質担体としてクレーを用いるのがより好ましい。
【００２７】
（ｅ）農薬固形製剤
本発明の農薬固形製剤は、種籾に粉衣処理できるものであれば、いずれの粒度区分のものも利用できる。一般的には粒子径が１，７００μｍ以下の農薬固形製剤、すなわち、粒子径３００〜１，７００μｍの細粒状、１０６〜３００μｍの微粒状、４５〜１０６μｍの粗粉状、０．１〜４５μｍの微粉状のものが用いられる。
【００２８】
本発明において「粒子径」とは、ＪＩＳ規格の標準フルイを用い、フルイの目開きによって得られる粒度区分を示し、例えば「粒子径３００μｍ〜１７００μｍ」の場合、目開き１７００μｍのフルイを通過し、目開き３００μｍのフルイを通過しない粒子を意味する。
【００２９】
具体的な製剤名としては、粒剤、粉粒剤、微粒剤、細粒剤、粉剤（ＤＬ粉剤、一般粉剤）、水和剤などがあげられる。この中で粒子径０．１〜４５μｍの範囲に９５％以上含まれる粉状物のものが種籾に均一に処理できるという点で好ましい。
【００３０】
本発明の粒状物において、必要に応じて粘結剤、防腐防黴剤、安定化剤が使用される。このうち粘結剤としては慣用されているいかなるものでもよい。例えば天然物由来のものとしては、セルロース、メチルセルロース、エチルセルロース、カルボキシメチルセルロース、ヒドロキシメチルセルロース、ヒドロキシエチルセルロース、ヒドロキシプロピルセルロース、デンプン、カルボキシメチルデンプン、デキストリン、プルラン、アルギン酸ナトリウム、アルギン酸アンモニウム、デキストラン、マンナン、ペクチン、トラガントガム、マンニット、ソルビトール、アルギン酸プロピレングリコールエステル、グアーガム、ローカストビーンガム、アラビアゴムあるいはキサンタンガムなどの糖質系のものや、ゼラチン、カゼインなどの蛋白質系のものがある。また、合成物質のものとしては、ポリビニルアルコール、ポリエチレンオキサイド、ポリエチレングリコール、エチレン・プロピレンブロックポリマー、ポリアクリル酸ナトリウム、ポリビニルピロリドン、などがあげられる。
【００３１】
また使用できる防腐防黴剤としては、ソルビン酸、ソルビン酸カリウム、パラクロロ−メタキシレノール、パラオキシ安息香酸ブチルなどがあげられる。また、農薬活性成分の安定化剤として、酸化防止剤、紫外線防止剤、結晶析出防止剤などを必要に応じて添加してもよい。
【００３２】
（ｆ）付着性改良剤
本発明で付着性改良剤として用いられるガラス質粉末は、上記（ｂ）ガラス質粉末で述べたガラス質粉末であればよく、単独であるいはこれに無機質担体または／および有機質担体を加えて使用される。ガラス質粉末に加えられる無機質担体または／および有機質担体としては、無機質担体が好ましく、その中でもクレーを用いるのがより好ましい。
【００３３】
こうして得られた付着性改良剤は、そのまま使用するか、あるいは必要に応じて、界面活性剤、その他の担体、増量剤を加えて使用される。この中で、非イオン性界面活性剤または／および陰イオン性界面活性剤を加えたものが好ましい。
【発明の効果】
【００３４】
本発明を実施すると、次のような効果がもたらされる。
第１に、種籾の付着にかかる時間が短縮され、粉衣処理の作業性が向上する。
第２に、種籾に農薬活性成分を均一に付着させることができ、高い種子消毒効果が安定して発揮され、また薬害の発生、効果の変動を抑制できる。
第３に、付着した種籾のべとつきが抑えられ、播種時の作業性が向上する。
【発明を実施するための最良の形態】
【００３５】
本発明の農薬固形製剤は、粒剤、粉粒剤、微粒剤、細粒剤、ＤＬ粉剤、一般粉剤、水和剤などであり、それらの一般的な製造方法で調製できる。
【００３６】
すなわち、粉状物の場合、（ａ）農薬活性成分（ただし、ペンタ−４−エニル＝Ｎ−フルフリル−Ｎ−イミダゾール−１−イルカルボニル−ＤＬ−ホモアラニナート（以下、ペフラゾエートという。）を除く。）、（ｂ）見かけ比重が０．０１〜０．１、アマニ油に対する吸油能が１００〜４００ｍｌ／１００ｇであるガラス質気泡体を粉砕して得られた、不規則な形状の細片からなるガラス質粉末、（ｃ）非イオン性界面活性剤または／および陰イオン性界面活性剤および（ｄ）無機質担体または／および有機質担体をハンマーミルなどで混合粉砕して粉状物を得る。
【００３７】
粒状物の場合、（ａ）農薬活性成分（ただし、ペフラゾエートを除く。）（ｂ）見かけ比重が０．０１〜０．１、アマニ油に対する吸油能が１００〜４００ｍｌ／１００ｇであるガラス質気泡体を粉砕して得られた、不規則な形状の細片からなるガラス質粉末、（ｃ）非イオン性界面活性剤または／および陰イオン性界面活性剤および（ｄ）無機質担体または／および有機質担体を混合粉砕した後、必要に応じて水、粘結剤や溶剤を加え、押し出し型造粒機で造粒し、粒状物を得る。
【００３８】
農薬活性成分の製剤中への含有量は、一般的に製剤全量の０．１〜９０重量％、好ましくは１〜８０重量％である。
【００３９】
本発明で用いられるガラス質粉末の製剤中への添加量は、一般的に製剤全量の２重量％以上、好ましくは５〜８０重量％である。
【００４０】
本発明で用いられる界面活性剤の製剤中への添加量は、非イオン性界面活性剤、陰イオン性界面活性剤の単用、これらの併用のいずれの場合も一般的に０．１〜３０重量％、好ましくは０．３〜２０重量％である。
【００４１】
本発明でガラス質粉末とともに用いられる無機質担体、有機質担体の使用量は、農薬固形製剤中の、農薬活性成分、ガラス質粉末、界面活性剤以外の残りとして、全体として１００重量％になるように添加される。
【００４２】
本発明の農薬固形製剤は、以下のような方法で種籾に粉衣処理して用いられる。
【００４３】
第１に、一般的な粉衣処理方法として、オートリバース混合機、ポットミキサーなどを用い、乾燥種籾１００ｋｇに対し、水２．５ｌ（リットル）を添加し、混合撹拌後、農薬固形製剤を加え、混合撹拌することで粉衣処理する方法。
【００４４】
第２に、特開平１１−０２８００６号公報、特開平１１−０４９６１２号公報で公知の方法と同一かそれに準じた方法、すなわち、種籾を浸種して水に十分に吸水させ（積算温度として６０〜１００℃・日）、種子消毒活性成分を含有する農薬固形製剤で粉衣処理する方法。
【００４５】
本発明の粉衣処理方法は、このうちで、後者の処理方法への適用性がより好ましい。
【００４６】
粉衣処理する農薬固形製剤の重量は、一般に乾燥種籾重量あたり０．１〜５％、好ましくは０．２〜２％である。
【００４７】
次に実施例で本発明を具体的に説明するが、本発明は、これらの実施例のみに限定されるものではない。
【００４８】
なお、実施例、比較例において、農薬固形製剤の種籾への付着の均一性を確認しやすくするため、製剤が淡灰色になるよう少量（１重量部）のカーボンブラックを添加している。
【実施例１】
【００４９】
（粉状物の調製）
ａ．カスガマイシン（塩酸塩）  １０部
ｂ．ガラス質気泡体（パーライト）を粉砕して得られた不規則な形状の粉末（見かけ比重０．０５、アマニ油に対する吸油能２５０ｍｌ／１００ｇ）  ４０部
ｃ．ポリオキシエチレン（２０）ソルビタンモノオレート（非イオン性界面活性剤）  １部
ドデシルベンゼンスルホン酸ナトリウム塩（陰イオン性界面活性剤）  ２部
ｄ．クレー  ４６部
他  カーボンブラック  １部
全１００部をハンマーミルで混合し、粉状物を得た。
【実施例２】
【００５０】
（粒状物の調製）
ａ．チアベンダゾール  １０部
ｂ．ガラス質気泡体（パーライト）を粉砕して得られた不規則な形状の粉末（見かけ比重０．０５、アマニ油に対する吸油能２５０ｍｌ／１００ｇ）  ４０部
ｃ．ポリオキシエチレン（６）ソルビタンモノステアレート（非イオン性界面活性剤）  １部
ラウリル硫酸ナトリウム塩（陰イオン性界面活性剤）  ２部
ｄ．クレー  ４１部
他  デキストリン（粘結剤）  ５部
カーボンブラック  １部
全１００部をハンマーミルで混合した後、この混合物１００部に対し、水３０部を添加し、双腕ニーダーで加水混練する。次に、０．６ｍｍ径のスクリーンを付けた押し出し型造粒機で造粒し、整粒した後乾燥し、３００〜８５０μｍで篩別して、粒状物を得た。
【実施例３】
【００５１】
（種籾消毒剤に付着性改良剤を加える場合）
（１）組成
（イ）種籾消毒剤Ａ（粉状物）
ａ．カスガマイシン（塩酸塩）  １０部
ｃ．ポリオキシエチレン（２０）ソルビタンモノオレート（非イオン性界面活性剤）  ２部
ｄ．クレー  ３７部
他  カーボンブラック  １部
計５０部
（ロ）付着性改良剤
ｂ．ガラス質気泡体（パーライト）を粉砕して得られた不規則な形状の粉末（見かけ比重０．０５、アマニ油に対する吸油能２５０ｍｌ／１００ｇ）  ３５部
ｃ．ドデシルベンゼンスルホン酸ナトリウム塩（陰イオン性界面活性剤）  ５部
ｄ．クレー  １０部
計５０部
（２）調製
（イ）、（ロ）ともに、組成物の全量をハンマーミルで混合し、（イ）種籾消毒剤、（ロ）付着性改良剤を得た。
（３）粉衣処理
浸種後の種籾に、（イ）種籾消毒剤、（ロ）付着性改良剤を1：１の重量比で添加して混合し、これを、常法により稲種籾の表面に粉衣処理する。
【００５２】
次に、本発明の効果を示すために、試験例を示し、具体的に説明する。
【００５３】
試験例１  農薬固形製剤の種籾への付着性
５リットル容量の円筒容器を（斜め下向きに水平方向に対し３０度となるように）設置し、稲の乾籾１ｋｇを浸種して十分に吸水させた後にこの容器に入れ、この円筒容器を７５ｒｐｍで回転させる。回転させながら、実施例１〜２に準じて調製した農薬固形製剤１０ｇを入れ、投入直後より、農薬固形製剤が種籾に付着するまでの時間を測定する。
【００５４】
回転を止め、種籾を取り出し、付着の均一性、種籾のべとつきの程度を目視により観察する。次に、この種籾から無作為に１ｇずつ５か所からサンプリングし、種籾中に含まれる農薬活性成分量を分析し、種籾１ｇあたりに付着した活性成分量を求める。
【００５５】
次に、５か所の種籾１ｇあたりに付着した活性成分量の分析値の平均値（ｍｇ）、標準偏差値（ｍｇ）を算出する。こうして得られた平均値および標準偏差値から下記式により、変動係数（ＣＶ）（％）を求める。
【００５６】
なお、本発明においては、ＣＶ値が小さいほど、種籾に付着した農薬活性成分量のばらつきが小さく均一に付着していることを示しており、付着性がより優れているといえる。
【００５７】
【数１】
0004780956.tif 000002
【００５８】
付着性の評価基準は下記のとおり。
（１）付着の均一性
○：農薬固形製剤が種籾に均一に付着している。
△：農薬固形製剤が種籾に付着しているが、着色に濃淡が認められる。
×：農薬固形製剤が種籾に付着しているもの、付着していないものが認められる。
（２）種籾のべとつき
○：べとつかない。
△：種籾同士が付着しやすい傾向にあるが、容易にほぐれる。
×：種籾同士が付着する。
【００５９】
試験結果を表１、表２に示す。
【００６０】
試験例２  付着性改良剤の添加による種籾への付着性試験
５リットル容量の円筒容器を（斜め下向きに水平方向に対し３０度となるように）設置し、稲の乾籾１ｋｇを浸種して十分に吸水させた後にこの容器に入れ、この円筒容器を７５ｒｐｍで回転させる。回転させながら、実施例３で調製した種籾消毒剤５ｇを加えて、その直後に回転させながら、表３中の組成になるように実施例３に記載の方法に準じて調製した付着性改良剤５ｇを加える。付着性改良剤の投入直後より、種籾消毒剤が種籾に付着するまでの時間を測定する。
【００６１】
回転を止め、試験例１と同様の方法で農薬活性成分の付着性を確認し、次に試験例１と同様のサンプリングにより、種籾１ｇあたりに付着した活性成分量を求め、平均値（ｍｇ）、標準偏差値（ｍｇ）、ＣＶ（％）を算出する。
【００６２】
試験結果を表３に示す。
【００６３】
【表１】
0004780956.tif 000003
【００６４】
【表２】
0004780956.tif 000004
【００６５】
【表３】
0004780956.tif 000005